(57)【要約】      （修正有）【課題】フレームのないもしくはフレームの量を少なくした太陽光発電モジュールであっても、風雨等に対する耐久性を確保可能な架台を提供する。【解決手段】複数の太陽光発電モジュールＭを設置するための架台１において、架台が、各モジュールを載置するための複数の載置部２を備え、載置部を、複数の端部レール６と、補強レール７と、を有するものとし、端部レール６によって、モジュールの第１の対辺部を固定すると共に補強レール７によって、モジュールの第２の対辺部を固定する。補強レールは、少なくともその両端が第２の対辺部から突出する様に端部レール間に配設され、突出した部分に取付部を有し、取付部に、第２の対辺部を固定するための固定具が取付可能に設けられる。【選択図】図１
0003219676.tif 000002
【実用新案登録請求の範囲】
【請求項１】
複数の太陽光発電モジュールを設置するための架台であって、
各該モジュールを載置するための複数の載置部を備え、
該載置部は、複数の端部レールと、補強レールと、を有しており、
該端部レールは、各該モジュールの第１の対辺部を固定するために設けられており、
該補強レールは、各該モジュールの第２の対辺部を固定するために設けられ、該載置部に該モジュールが載置された際に、少なくともその両端が該第２の対辺から突出する様に該端部レール間に配設されると共に該第２の対辺部より突出した部分に取付部を有し、
該取付部は、該第２の対辺部を固定するための固定具が取付可能に設けられていることを特徴とする架台。
【請求項２】
前記補強レールは、隣接する前記モジュールを跨ぐ様に配設されていることを特徴とする請求項１に記載の架台。
【請求項３】
複数の太陽光発電モジュールを設置するための架台であって、
各該モジュールを載置するための複数の載置部を備え、
該載置部は、複数の端部レールと、補強レールと、を有しており、
該端部レールは、各該モジュールの第１の対辺部を固定するために設けられており、
該補強レールは、各該モジュールの第２の対辺部を固定するために設けられ、該第２の対辺部を構成する辺部の少なくとも何れかを載置可能に設けられた取付部を有し、
該取付部は、該第２の対辺を固定するための固定具が取付可能に設けられていることを特徴とする架台。
【請求項４】
前記補強レールは、前記取付部として、第１の取付部と第２の取付部とが設けられており、
該第１の取付部は、前記第２の対辺部を構成する辺部の内、１つの該辺部のみを同時に載置可能であり、
該第２の取付部は、隣接する前記モジュールの該第２の対辺部を構成する辺部であって、対向する２つの該辺部を同時に載置可能となっていることを特徴とする請求項３に記載の架台。
【請求項５】
前記端部レールは、隣接する前記モジュールの前記第１の対辺部を構成する辺部であって、対向する２つの辺部を同時に固定可能に設けられ、嵌着溝と、切欠部と、を有すると共にカバー体を取付可能に設けられており、
該嵌着溝は、該端部レールの長手方向の一方の側面に設けられ、該辺部の一方を嵌着可能となっており、
該切欠部は、該端部レールの長手方向の他方の側面に設けられ、該カバー体と共に該辺部の他方を挟持可能となっていることを特徴とする請求項１乃至４の何れかに記載の架台。
【考案の詳細な説明】
【技術分野】
【０００１】
本考案は、架台に関し、より詳細には、太陽光発電モジュールを設置するための架台に関する。
【背景技術】
【０００２】
従来、太陽光発電モジュール（以下、モジュールという）がある。この様なモジュールは、建物の屋根等に、複数のモジュールが並列され、設置される。モジュールを屋根等に設置する際には、各モジュールの長辺を支持する様に設けられた架台が用いて、屋根等の固定される（特許文献１を参照）
【先行技術文献】
【特許文献】
【０００３】
【特許文献１】特開２０１７−４０１０１号公報
【考案の概要】
【考案が解決しようとする課題】
【０００４】
特に、建造物の屋根等に設置されるモジュールは、建造物の耐荷重等の制限から可能な限り、軽量であることが求められる。一方、モジュールは、屋外に設置される観点から、風雨等に耐え得るだけの耐久性を有している必要があり、金属製のフレームが用いてその剛性が高められている。
【０００５】
前記フレームは、アルミニウム合金等の比較的軽量な金属材料で形成されているものの、複数のモジュールが設置されることが通常であることに照らせば、該フレームだけでも、相当な重量となってしまう。このフレームを、無くすもしくはフレームの量を少なくすることができれば、モジュールを軽量化できることは、容易に想像し得るが、該フレームなしに、該フレームがある場合と同等の剛性を確保することは困難である。
【０００６】
他方、従来のモジュールを支持する架台は、前記フレームがあることを前提とした設計となっており、該フレームが齎す剛性なくしては、モジュールが風雨等の曝された際に、モジュールが自身の重量に耐えきれず、撓んでしまうとの不具合が生じかねないものであった。このため、風雨等に対する耐久性を確保という観点からも、モジュールからフレームを無くすもしくはフレームの量を少なくすることは困難であった。
【０００７】
そこで、本考案は、フレームのないもしくはフレームの量を少なくしたモジュールであっても、風雨等に対する耐久性を確保可能な架台を提供することを目的とする。
【課題を解決するための手段】
【０００８】
本考案は、複数の太陽光発電モジュールを設置するための架台であって、各該モジュールを載置するための複数の載置部を備え、該載置部は、複数の端部レールと、補強レールと、を有しており、該端部レールは、各該モジュールの第１の対辺部を固定するために設けられており、該補強レールは、各該モジュールの第２の対辺部を固定するために設けられ、該載置部に該モジュールが載置された際に、少なくともその両端が該第２の対辺から突出する様に該端部レール間に配設されると共に該第２の対辺部より突出した部分に取付部を有し、該取付部は、該第２の対辺部を固定するための固定具が取付可能に設けられていることを特徴とする架台である。
【０００９】
又、本考案は、複数の太陽光発電モジュールを設置するための架台であって、各該モジュールを載置するための複数の載置部を備え、該載置部は、複数の端部レールと、補強レールと、を有しており、該端部レールは、各該モジュールの第１の対辺部を固定するために設けられており、該補強レールは、各該モジュールの第２の対辺部を固定するために設けられ、該第２の対辺部を構成する辺の少なくとも何れかを載置可能に設けられた取付部を有し、該取付部は、該第２の対辺部を固定するための固定具が取付可能に設けられていることを特徴とする架台である。
【００１０】
尚、本考案は、前記補強レールを、隣接する前記モジュールを跨ぐ様に配設されるものとすることが可能である。又、本考案は、前記補強レールを、前記取付部として、第１の取付部と第２の取付部とが設けられるものとし、該第１の取付部を、前記第２の対辺部を構成する辺部の内、１つの該辺部のみを同時に載置可能とし、該第２の取付部を、隣接する前記モジュールの該第２の対辺部を構成する辺部であって、対向する２つの該辺部を同時に載置可能となっているものとすることが可能である。
【００１１】
更に、本考案は、前記端部レールを、隣接する前記モジュールの前記第１の対辺部を構成する辺部であって、対向する２つの辺部を同時に固定可能に設けられ、嵌着溝と、切欠部と、を有すると共にカバー体を取付可能に設けられるものとし、該嵌着溝を、該端部レールの長手方向の一方の側面に設けられ、該辺部の一方を嵌着可能とし、該切欠部を、該端部レールの長手方向の他方の側面に設けられ、該カバー体と共に該辺部の他方を挟持可能とすることが可能である。
【００１２】
尚、本考案において、「第１の」及び「第２の」という表現を用いているが、該表現は、各構成を区別するために用いているに過ぎず、その数値や順番等には特に意味がないものである。
【考案の効果】
【００１３】
本考案は、モジュールを載置するための載置部を、複数の端部レールと、該端部レールとを有するものとし、端部レールによって、モジュールの第１の対辺を固定すると共に補強レールによって、モジュールの第２の対辺を固定できるものとしたため、フレームのないもしくはフレームが設けられている箇所を少なくしたモジュールであっても、風雨等に対する耐久性を確保可能な架台を提供することが可能である。
【図面の簡単な説明】
【００１４】
【図１】本考案の第１実施形態を示す図であり、太陽光発電モジュールを載置された状態の平面図である。
【図２】図１のIIａ−IIｂ拡大図である。
【図３】図１のIII−III断面拡大図である。
【図４】図１のIV−IV断面拡大図である。
【図５】図１のＶ−Ｖ矢視拡大図である。
【図６】本考案の第１実施形態における端部レールの斜視拡大図である。
【図７】本考案の第１実施形態における補強レールの斜視拡大図である。
【図８】本考案の第２実施形態を示す図であり、太陽光発電モジュールを載置された状態の平面図である。
【図９】図８のIX−IX矢視拡大図である。
【図１０】図９の要部拡大図である。
【図１１】本考案の第２実施形態における補強レールの図であり、（ａ）は上底側斜視拡大図であり、（ｂ）は下底側斜視拡大図である。
【考案を実施するための形態】
【００１５】
本考案の第１実施形態を図１乃至図７に基づき、太陽光発電モジュールＭ（以下、モジュールＭともいう）を建物の屋根Ｒに設置するための架台１を例にして説明する。尚、本実施形態において、屋根Ｒは、波型をしているが、必ずしも波型に限定されるものではなく、本実施形態は、後述する接合部３０の形状を変えることで、様々な形状の屋根Ｒに適用することが可能である。
【００１６】
架台１は、複数のモジュールＭの様な板状体を固定するためのものであり、各モジュールＭが載置される複数の載置部２と、載置部２を屋根Ｒに固定するための基部３とを有している。基部３は、屋根Ｒと接合される接合部３０と、接合部３０より延在し、載置部２が固定される固定部３１とを有している。
【００１７】
接合部３０は、屋根Ｒの形状に合わせて、適切な形状に成形される。本実施形態においては、接合部３０は、波型の屋根Ｒの形状に合わせて、断面略三角形状となっており接着剤による接着によって、屋根Ｒと接合される。尚、屋根Ｒと接合部３０との接合方法については、接着の他、螺着等の他の方法を適宜選択可能である。
【００１８】
固定部３１は、載置部２を固定するための固定具、例えば、押え金具４を取付可能に設けられている。本実施形態においては、固定部３１には、螺子５が摺動可能に設けられたレール溝３２が形成されていると共に断面略冂字状（略コ字状）の押え金具４が、レール溝３２を介して、螺子５によって螺止可能に設けられており、それによって、載置部２の位置を微調整可能となっている。
【００１９】
載置部２は、並列して設けられた複数の端部レール６と、端部レール６間に設けられた補強レール７とを有している。端部レール６は、モジュールＭの第１の対辺部Ｍ１（本実施形態においては、長辺部Ｍ２により構成されている）を固定するために設けられている。補強レール７は、モジュールＭの第２の対辺部Ｍ３（本実施形態においては、短辺部Ｍ４によって構成されている）を固定するために設けられており、端部レール６と共にモジュールＭが風雨等によって、撓むことを防止するために設けられている。
【００２０】
端部レール６は、隣接するモジュールＭの長辺部Ｍ２であって、対向する２つの長辺部Ｍ２を同時に固定可能に設けられている。端部レール６は、長手方向の側面６ａ，６ｂの一方（本実施形態においては、側面６ａ）に、モジュールＭの長辺部Ｍ２を嵌着可能に設けられた嵌着溝６０が設けられており、長手方向の側面６ａ，６ｂの他方（本実施形態においては、側面６ｂ）に切欠部６１が設けられている。
【００２１】
端部レール６の天部側には、切欠部６１を覆う様にカバー体６２が取付可能に設けられており、又、その底部側には、押え金具４がと掛合可能に設けられた、掛合溝６３が設けられている。切欠部６１は、カバー体６２と共にモジュールＭの長辺部Ｍ２を挟持可能となっている。本実施形態においては、端部レール６の天面には、レール溝６４が設けられており、カバー体６２は、レール溝６４に螺着されている。
【００２２】
補強レール７は、載置部２にモジュールＭが載置された際に、第２の対辺部Ｍ３から、少なくともその端７ａが突出する様に設けられている。補強レール７は、モジュールＭが長手方向に並列して設置される際には、隣接するモジュールＭを跨ぐように設けられる。補強レール７は、隣接する端部レール６間の中央近傍に設けられており、本実施形態においては、接続箱Ｂ等の設置位置の関係で該中央よりもやや偏心した位置に設けられている。
【００２３】
補強レール７の天面には、後述する押え金具８が取付可能に設けられた取付部の一例たるレール溝７１が設けられている。レール溝７１は、少なくとも補強レール７の第２の対辺部Ｍ３から突出する部分に設けられている。本実施形態においては、レール溝７１は、補強レール７の天面全面に亘って形成されており、押え金具８は、補強レール７のモジュールＭから突出した部分に位置するレール溝７１に取付けられている。その様にすることで、モジュールＭや屋根Ｒの大きさや形状等に合せて、適宜に押え金具８の取付位置を変更可能としている。又、補強レール７の底面側には、端部レール６の掛合溝６３と同様の掛合溝７２が設けられている。
【００２４】
押え金具８は、モジュールＭを固定するための固定具の一例であり、補強レール７の第２の対辺部Ｍ３から突出している部分に取付けられている。本実施形態においては、押え金具８は、補強レール７と共にモジュールＭの短辺部Ｍ４を挟持する様に設けられおり、レール溝７１を介して補強レール７に螺子止めされている。又、押え金具８は、隣接するモジュールＭを跨ぐように補強レール７が設けられた際には、押え金具８は、モジュールＭ間の隙間に位置する様に取付けられる。
【００２５】
モジュールＭを架台１に固定する際には、長辺部Ｍ１の一方が、端部レール６の嵌着溝６０に嵌着されると共に長辺部Ｍ２の他方を端部レール６の切欠部６１に載置する。その後、端部レール６にカバー体６２を取付け、モジュールＭの長辺Ｍ１の他方が切欠部６１及びカバー体６２によって挟持し、端部レール６にモジュール１を固定する。そして、モジュール１の各短辺Ｍ２を、押え金具８を介して、補強レール７に固定する。
【００２６】
従って、モジュールＭは、その第１の対辺部Ｍ１が、端部レール６によって支持・固定されているのみならず、補強レール７によっても支持されていると共にその第２の対辺Ｍ３も補強レール７によって固定されていることとなる。そのため、架台１においては、モジュールＭ側に高い剛性をもたさなくとも、風雨等によるモジュールＭの撓みを防止することが可能であるので、架台１は、モジュールＭの軽量化に寄与することが可能である。
【００２７】
本考案の第２実施形態を、図８乃至図１１に基づき説明する。本実施形態と第１実施形態との相違は、補強レール７の代わりに補強レール９により、モジュールＭの第２の対辺部Ｍ３を固定した点である。第１実施形態と同符号で示した構成については、同実施形態と同様であるので説明を省略する。
【００２８】
補強レール９は、その底面９ａ，９ｂの少なくとも何れかに取付部９０が設けられている。取付部９０には、モジュールＭの第２の対辺部Ｍ３を構成する辺部（本実施形態においては、短辺部Ｍ４）を載置可能に設けられた載置面９０ａ及び取付部９０と共に短辺部Ｍ４を固定する固定具が取付可能に設けられた溝部が形成されている。本実施形態においては、取付部９０は、補強レール９の底面９ａ，９ｂの両方に設けられている（以下、便宜的に、底面９ａを上底９ａと、底面９ｂを下底９ｂと表記し、上底９ａに設けられた取付部９０を取付部９０αと、下底９ｂに設けられた取付部９０を取付部９０βと表記する）。
【００２９】
取付部９０αは、２つの載置面９０ａを有しており、この２つの載置面９０ａを隔てる様に前記溝部の一例たるレール溝９０ｂが形成されている。レール溝９０ｂには、前記固定具の一例であるカバー体９１が取付可能となっている。載置面９０ａの各々には、モジュールＭを載置部２に載置した際に対向する隣接するモジュールＭの２つの短辺部Ｍ４が同時に載置可能となっており、カバー体９１と共に短辺部Ｍ４を挟持することによって、短辺部Ｍ４を固定する。
【００３０】
取付部９０βは、１つの載置面９０ａを有しており、載置面９０ａに沿って、前記溝部の一例たるレール溝９０ｃが形成されており、レール溝９０ｃには、前記固定具の一例であるカバー体９２が取付可能となっている。それによって、取付部９０βは、同時に１つの短辺部Ｍ４を載置可能となっており、カバー体９２と共に短辺部Ｍ４を挟持することで、同時に１つの短辺部Ｍ４のみ固定可能となっている。
【００３１】
補強レール９は、端部レール６と略直交方向に向けられた状態で、並列された２つの端部レール６の一端を橋絡する様に取り付けられ、モジュールＭが隣接する架台１内方のモジュールＭ間に取付けられる際には、取付部９０α側を上にして、モジュールＭが隣接していない架台１の両端に取付けられる際には、取付部９０β側を上にして取付けられる。本実施形態においては、補強レール９は、略Ｌ字状の固定金具９３によって、端部レール６に固定されている。
【００３２】
尚、本実施形態において、カバー体９１，９２は、取付部９０全体を覆う様に長さで設けられているが、カバー体９１，９２を、より短く設け、間欠的に取付部９０に取付ける様にすることも可能である。
【００３３】
本実施形態においても、モジュールＭは、その第１の対辺部Ｍ１が、端部レール６によって支持・固定されているのみならず、その第２の対辺Ｍ３も補強レール９によって固定されていることとなる。そのため、架台１においては、モジュールＭ側に高い剛性をもたさなくとも、風雨等によるモジュールＭの撓みを防止することが可能であるので、架台１は、モジュールＭの軽量化に寄与することが可能である。
【００３４】
以上、本考案を、上記実施形態によって、説明したが、本考案は、上記実施形態に限定されるものではなく、考案の要旨を変更しない範囲で適宜変更可能である。例えば、上記実施形態においては、架台１は、屋根ＲにモジュールＭを設置するものであったが、建物の壁や地表にモジュールＭを設置する場合にも適用可能である。
【符号の説明】
【００３５】
１      架台            ２      載置部            ３      基部
３０    接合部          ３１    固定部            ３２    レール溝
４      押え金具        ５      螺子              ６      端部レール
６ａ    側面            ６ｂ    側面              ６０    嵌着溝
６１    切欠部          ６２    カバー体          ６３    掛合溝
６４    レール溝        ７      補強レール        ７ａ    端
７１    レール溝        ７２    掛合溝            ８      押え金具
９      補強レール      ９ａ    底面              ９ｂ    底面
９０    取付部          ９０ａ  載置面            ９０ｂ  レール溝
９０ｃ  レール溝        ９１    カバー体          ９２    カバー体
９３    固定金具        Ｂ      接続箱            Ｍ      太陽光発電モジュール
Ｍ１    第１の対辺部    Ｍ２    長辺部            Ｍ３    第２の対辺部
Ｍ４    短辺部          Ｒ      屋根
【図１】
0003219676.tif 000003
【図２】
0003219676.tif 000004
【図３】
0003219676.tif 000005
【図４】
0003219676.tif 000006
【図５】
0003219676.tif 000007
【図６】
0003219676.tif 000008
【図７】
0003219676.tif 000009
【図８】
0003219676.tif 000010
【図９】
0003219676.tif 000011
【図１０】
0003219676.tif 000012
【図１１】
0003219676.tif 000013